(57)【要約】【課題】  本発明は、二重容器のように二重壁を有する容器において、塗装膜層や蒸着膜層による加飾効果をより深みがあるものとして、高級感を演出することが可能な加飾のための構成を創出することを技術的課題とするものである。【解決手段】  内容物を収納する有底筒状の内容体と、この内容体の少なくとも胴部を外装する外装体を有する合成樹脂製の二重壁容器において、外装体は透明性の合成樹脂製で、内周面に塗装膜層若しくは蒸着膜層、あるいはこれら両膜層を形成した膜層形成領域と、これら膜層の形成されていない非形成領域を有する構成とする。【選択図】図１
2010235141.tif 000002
【特許請求の範囲】
【請求項１】
内容物を収納する中容器(1)と、該中容器(1)の少なくとも胴部を外装する外装体(11)により、いずれも合成樹脂製の二重壁を形成する二重壁容器であって、前記外装体(11)は透明性の合成樹脂製で、内周面に塗装膜層若しくは蒸着膜層、あるいはこれら両膜層を形成した膜層形成領域(21)と、該膜層の形成されていない非形成領域(23)を有することを特徴とした二重壁容器。
【請求項２】
中容器(1)の外表面を着色膜層若しくは蒸着膜層あるいはこれら両膜層で加飾した請求項１記載の二重壁容器。
【請求項３】
外装体(11)の非形成領域(23)を透視窓(23a)とし、該透視窓(23a)を透して中容器(1)中の内容物の残量が確認可能に構成した請求項１または２記載の二重壁容器。
【請求項４】
膜層形成領域(21)においてレーザー光により部分的に膜層を除去し、該除去部分を非形成領域(23)とした請求項１、２または３記載の二重壁容器。
【発明の詳細な説明】
【技術分野】
【０００１】
本発明は、内容物を収納する中容器と、この中容器を外装する外装体で二重壁を構成する合成樹脂製の二重壁容器に関するものである。
【背景技術】
【０００２】
化粧料を容器に収納した製品では、使用する容器に今までにない加飾性、特には高級感を演出して他社製品との差別化が図られている。
たとえば特許文献１には、特に高級化粧液等に使用する外容器と中容器からなる合成樹脂製の二重容器に関する記載があるが、このように二重容器とすることにより一重容器では得られない加飾性を付与することができる。
【先行技術文献】
【特許文献】
【０００３】
【特許文献１】特開平１０−５９３５７号公報
【発明の概要】
【発明が解決しようとする課題】
【０００４】
本発明は、二重容器のように二重壁を有する容器において、塗装膜層や蒸着膜層による加飾効果をより深みがあるものとして、高級感を演出することが可能な加飾のための構成を創出することを技術的課題とするものである。
【課題を解決するための手段】
【０００５】
上記技術的課題を解決する手段の内、本発明の主たる構成は、
内容物を収納する中容器と、この中容器の少なくとも胴部を外装する外装体により、いずれも合成樹脂製の二重壁を形成する二重壁容器であって、
外装体は透明性の合成樹脂製で、内周面に塗装膜層若しくは蒸着膜層、あるいはこれら両膜層を形成した膜層形成領域と、これら膜層の形成されていない非形成領域を有する構成とする、と云うものである
【０００６】
上記構成において、外装体は用途に応じて有底筒状の外容器状、あるいは底部のない筒状とすることができる。
また、透明性の合成樹脂には中が透けて見える程度の半透明性の合成樹脂も含まれる。また、中容器と外装体から形成される二重壁部分はその壁間に隙間を設けることもできるし、密接状とすることもできる。
【０００７】
そして、上記構成により、透明性の合成樹脂製の外装体の内周面に、塗装膜層や蒸着膜層を形成した膜層形成領域と、これら膜層の形成されていない非形成領域を有する構成とすることにより、透明な外装体の壁厚を利用し、この透明な壁のプリズム状の光学的作用により、塗装膜層や蒸着膜層による加飾効果をより深みのあるものとすることができる。
【０００８】
そしてさらに、膜層の形成されていない非形成領域では、透明な外装体の周壁を透過した光を中容器、あるいは中容器に収納される内容物で反射させることにより、上記蒸着膜層や塗装膜層による深みのある加飾効果が相俟って、今までにない高級感を演出することが可能となる。
【０００９】
本発明の他の構成は、上記主たる構成に加えて、中容器の外表面を着色膜層若しくは蒸着膜層で加飾する、と云うものである。
【００１０】
上記構成では、外装体の非形成領域の透明な壁を透して中容器の外表面に形成された着色膜層や蒸着膜層による加飾効果を現出させて、より複雑で深みのある加飾効果を現出させることができる。
ここで、中容器の外表面に形成するので、着色膜層は塗層膜層に限定されることなく、印刷層やホットスタンプ膜層、転写膜層等することができ、蒸着膜層もホットスタンプ膜や転写膜で形成することができる。
【００１１】
本発明のさらに他の構成は、上記主たる構成に加えて、外装体の非形成領域を透視窓とし、この透視窓を通して中容器中の内容物の残量が確認可能に構成する、と云うものである。
【００１２】
上記構成は、非形成領域を利用して透視窓を構成し、この透視窓により中容器中の内容物の残量が確認できるようにしたものであり、内容物の品質の低下を防ぐ目的で外装体の膜層を遮光性有するものとした場合にも、この透視窓を通して内容物の残量を確認することができる。
なお、中容器は内容物が見えるように少なくとも部分的に透明あるいは半透明としておく。
【００１３】
本発明のさらに他の構成は、上記主たる構成に加えて、レーザー光により、膜層形成領域において部分的に膜層を除去し、この除去部分を非形成領域とする、と云うものである。
【００１４】
上記構成によれば、レーザー光により膜層形成領域において部分的に膜層を除去する方法により、外装体の内周面に上記した透視窓はもちろん、繊細な模様状に非形成領域を形成することができ、これにより高品位な加飾効果を現出させることができる。
【発明の効果】
【００１５】
本発明は、上記した構成となっているので、以下に示す効果を奏する。
すなわち、本発明の主たる構成を有するものにあっては、
透明な外装体の壁厚を利用し、この透明な壁のプリズム状の光学的作用により、蒸着膜層や塗装膜層に加飾効果をより深みのあるものとすることができ、
さらに、膜層の形成されていない非形成領域では、透明な外装体の周壁を透過した光を中容器、あるいは中容器に収納される内容物で反射させることにより、上記外装体の透明な壁のプリズム状の光学的作用による深みのある加飾効果が相俟って、今までにない高級感を演出することが可能となる。
【図面の簡単な説明】
【００１６】
【図１】本発明の二重壁容器の第１実施例であるポンプ付注出容器を部分的に縦断して示す側面図である。
【図２】図１の容器の正面図である。
【図３】本発明の二重壁容器の第２実施例である他のポンプ付注出容器を部分的に縦断して示す側面図である。
【図４】外装体の他の例を示す斜視図である。
【発明を実施するための形態】
【００１７】
以下、本発明の実施の形態を実施例に沿って、図面を参照しながら説明する。
図１は本発明の二重壁容器の第１実施例であるポンプ付注出容器を部分的に縦断して示す側面図、図２は正面図である。このポンプ付注出容器は上端部にノズルヘッド３２、下端部にシリンダ３３を配設した手動押下げ式のポンプ３１を組付きキャップ３５により外装体１１と共に二重壁を構成する中容器１の口筒部２に螺合により組付け固定したものである。
【００１８】
二重壁を構成する中容器１と外装体１１のうち、中容器１は半透明性の合成樹脂製で、円筒状の胴部４の上端部に肩部３を介して口筒部２を起立設したもので、胴部４の下端は開口端となっている。そして、この胴部４内に軸心方向に沿って密摺動可能に低密度ポリエチレン等の比較的軟質な合成樹脂製の摺動底蓋２６を嵌装している。
【００１９】
一方、外装体１１は透明性の合成樹脂製で、円筒状の胴部１４の下端部に底部１５を連設したものである。
この外装体１１の内周面には、胴部１４の上端部に配設される膜層の形成の無い非形成領域２３である小さな矩形状の透視窓２３ａ部分（図２参照）を除いて、全域に亘って遮光性を有する、暗色系あるいはフィラー等の分散により光線透過をカットする機能を有する塗装膜層２１ａを積層して当該積層領域を膜層形成領域２１としている。
【００２０】
上記したような、膜層形成領域２１と非形成領域２３の形成は次のような工程で形成することができる。
（１）外装体１１の内周面の全域に、着色したＵＶ硬化性樹脂系の塗料をＵＶ硬化させて塗層膜層２１ａを形成する。
（２）次に、非形成領域２３の形状（本実施例では小さな矩形状）を予め記憶したコンピュータに連動して、ＹＡＧレーザー光により塗層膜層２１ａ上を走査し、塗層膜層２１ａを加熱、分解、蒸散、昇華して除去し、非形成領域２３である透視窓２３ａを形成する。
【００２１】
そして、上記説明したポンプ付注出容器の二重壁部分の外装体１１の内周面の、遮光性を有する塗装膜層２１ａを積層した膜層形成領域２１では、この塗装膜層２１ａが透明な外装体１１の壁を透して現出するため、透明な壁のプリズム状の光学的作用により加飾効果を深みのあるものとし、高級感を演出することができる。
【００２２】
また、このポンプ付注出容器では、ノズルヘッド３２を押下げて内容液を注出するが、内容液を注出すると中容器１内が減圧状態となり内容液が減少した分、摺動底蓋６が上昇変位する構成となっておりこれにより外部からの外気の侵入を防ぐことができ、このポンプ付注出容器により透視窓２３ａ部分を除く容器本体１の全領域に亘って形成される塗装膜層２１ａによる遮光性と共に、外気と光による内容液の品質の低下を効果的に防ぐことができる。
【００２３】
また、使用開始前の摺動底蓋６は、図１中、実線で示される下降限に位置しており、内容液がほとんどなくなった状態では二点鎖線で示される上昇限に位置する。ここで、摺動底蓋６が透視窓２３ａの高さ位置まで上昇変位すると、この透視窓２３ａを透して、この摺動底蓋６を視覚することができ、内容液の残量が設定した量まで減少したことを知ることができる。
【００２４】
次に、図３は本発明の二重壁容器の第２実施例を示すものであり、第１実施例と同様にポンプ付注出容器とした他の例である。
第１実施例との主たる相違点は、摺動底壁６を使用せず中容器１を有底筒状とし、ポンプ３１のシリンダ３３の下端から吸引パイプ３４を底部５の底面近くまで延設した点である。
【００２５】
このタイプのポンプ付注出容器では、内容液は底部５近傍に残留するので、透視窓２３ａを外装体１１の胴部１４の下端部近傍に配設しており、この透視窓２３ａを透して内容液の残量を確認することができる。
【００２６】
次に図４は外装体の他の例を示す斜視図である。
この外装体１１は、膜層形成領域２１と非形成領域２３により模様を形成してさらなる加飾性の向上を狙ったものであり、塗装膜層２１ａの非形成領域２３が複数の湾曲した細帯を並列状にしたように形成されている。
【００２７】
膜層形成領域２１と非形成領域２３の形成は第１実施例の場合と同様に次のような工程で形成したものである。
（１）外装体１１の内周面の全域に、着色したＵＶ硬化性樹脂系の塗料をＵＶ硬化させて塗層膜層２１ａを形成する。
（２）次に、複数の湾曲した細帯を並列状にした非形成領域２３の模様のパターンを予め記憶したコンピュータに連動して、ＹＡＧレーザー光により塗層膜層２１ａ上を走査し、塗層膜層２１ａを加熱、分解、蒸散、昇華して除去し、非形成領域２３を形成する。
【００２８】
上記のようなレーザー光を使用する方法では、筒状の外装体１１の内周面であっても、膜層形成領域２１と非形成領域２３の境界がクリアに形成されるので、繊細な模様も高品位に再現して現出させることができる。
そして、外装体１１の透明な壁のプリズム状の光学的作用に加え、非形成領域２３を透して進入し、中容器で反射される反射光の光学的な作用効果が相俟って、深みがあり、さらに複雑で高品位な加飾によりさらなる高級感を演出することができる。
また、たとえばこの外装体１１を図３に示される第２実施例のポンプ付注出容器に使用すると、模様状に形成された非形成領域２３は透視窓２３ａの機能も発揮する。
【００２９】
以上、実施例に沿って本願発明の実施の形態とその作用効果について説明したが、本願発明はこれら実施例に限定されるものではない。
たとえば、上記実施例では二重壁容器としてポンプ付注出容器を例示して説明したが、本発明の作用効果は、ポンプ付注出容器に限らず、中容器と外装体から構成される二重壁を有する容器一般において発揮されるものである。
【００３０】
また、上記実施例では膜層として塗装膜層の例を説明したが、蒸着膜層を用いることにより、光学的な加飾効果のバリエーションをさらに広げることができる。また、塗装膜層と蒸着膜層を積層して形成することもできる。
また、上記実施例ではまず膜層を形成し、レーザー光でこの膜層を部分的に除去して非形成領域とする例を説明したが、非形成領域となる部分にマスキングをして膜層を形成することにより当該マスキング部分を非形成領域とすることもできる。
【産業上の利用可能性】
【００３１】
以上説明したように、本発明の二重壁容器は透明な外装体の壁厚を利用し、この透明な壁のプリズム状の光学的効果により、蒸着膜層や塗装膜層による加飾効果をより深みのある、高級感のあるものとすることができるものであり、化粧料等の容器として幅広い利用展開が期待される。
【符号の説明】
【００３２】
１  ；中容器
２  ；口筒部
３  ；肩部
４  ；胴部
５  ；底部
６  ；摺動底蓋
１１；外装体
１４；胴部
１５；底部
２１；膜層形成領域
２１ａ；塗装膜層
２３；非形成領域
２３ａ；透視窓
３１；ポンプ
３２；ノズルヘッド
３３；シリンダ
３４；吸引パイプ
３５；組付きキャップ
【図１】
2010235141.tif 000003
【図２】
2010235141.tif 000004
【図３】
2010235141.tif 000005
【図４】
2010235141.tif 000006